(57)【要約】【課題】眼内レンズ用のカセット、インジェクタ装置、カセットに眼内レンズを保存する方法、およびカセットから眼内レンズを送出する方法において、眼内レンズ、特に光学部の損傷を防止できるようにし、とりわけレンズへの不都合な機械的応力および力作用も回避する。【解決手段】眼内レンズ（１１）を収容するためのカセット（８）は、レンズインジェクタ装置（１）に挿入するように構成されており、レンズインジェクタ装置（１）のプランジャ（４）のための入口部（１２）と、眼内レンズ（１１）のための出口部（１５）とを備える。カセット（８）はプランジャ（４）のための移動通路（１２１）を備え、眼内レンズ（１１）を静止位置でカセット（８）にセットした状態で、移動通路（１２１）の長手方向軸線（Ａ）と眼内レンズ（１１）の中心面（Ｉ）とが相互に傾斜して配向されている。【選択図】図３a
2011045713.tif 000002
【特許請求の範囲】
【請求項１】
眼内レンズ（１１）を収容するためのカセットであって、レンズインジェクタ装置（１）に挿入するように構成されており、該レンズインジェクタ装置（１）のプランジャ（４）のための入口部（１２）と、前記眼内レンズ（１１）のための出口部（１５）とを備えるカセットにおいて、
前記カセット（８）が、前記プランジャ（４）のための移動通路（１２１）を備え、前記眼内レンズ（１１）を静止位置で前記カセット（８）にセットした状態で、前記移動通路（１２１）の長手方向軸線（Ａ）と前記眼内レンズ（１１）の中心面（Ｉ）とが相互に傾斜して配向されていることを特徴とするカセット。
【請求項２】
請求項１に記載のカセットにおいて、
前記長手方向軸線（Ａ）が、前記カセット（８）の水平面（II）に延在し、前記眼内レンズ（１１）が、前記カセット（８）の静止位置で前記水平面（II）に対して傾斜して位置決めされているカセット。
【請求項３】
請求項１または２に記載のカセットにおいて、
前記眼内レンズ（１１）のための位置保持手段（４２）が形成されており、該位置保持手段（４２）によって、前記カセット（８）の内部における前記眼内レンズ（１１）の傾斜した静止位置を保持することができるカセット。
【請求項４】
請求項３に記載のカセットにおいて、
前記カセット（８）が、相互に相対移動可能なカバー部（９）とベース部（１０）とを有し、前記位置保持手段（４２）が、前記カバー部（９）および／または前記ベース部（１０）の構成素子によって構成されており、前記カバー部（９）および／または前記ベース部（１０）が、前記眼内レンズ（１１）に向いた面における少なくとも所定領域に成形部を有し、これにより、レンズを収容し、カセットを閉じた状態で、レンズの傾斜した静止位置が得られるカセット。
【請求項５】
請求項３または４に記載のカセットにおいて、
前記位置保持手段（４２）が、静止位置で前記眼内レンズ（１１）のために移動許容差が生じるように構成されているカセット。
【請求項６】
請求項３から５までのいずれか一項に記載のカセットにおいて、
前記位置保持手段（４２）が、静止位置で前記眼内レンズ（１１）における前記カセット（８）の入口部（１２）に向いた端部から底部に向けて傾斜して配置されるように構成されているカセット。
【請求項７】
請求項３から６までのいずれか一項に記載のカセットにおいて、
前記カセット（８）の内部における前記眼内レンズ（１１）の静止位置が、前記位置保持手段（４２）によって構成され、前記中心面（Ｉ）と、前記長手方向軸線（Ａ）、特に長手方向軸線（Ａ）を有する水平面（II）とが、前記眼内レンズ（１１）の光学部（１６）の外縁部（２１）の領域で交差し、前記眼内レンズ（１１）が、触覚部（１７，１８）に凹部（１９，２６）を有しているか、または前記眼内レンズ（１１）の前記触覚部（１８）の第１部分（２７）が、前記光学部（１６）の縁部（２１）に隣接しているカセット。
【請求項８】
請求項６または７に記載のカセットにおいて、
前記静止位置が、前記カセット（８）から前記眼内レンズ（１１）を送出するために、プランジャ（４）が前記触覚部（１８）の第２部分（２８）における外縁部（３１）と非接触に配置されているように、構成されているカセット。
【請求項９】
請求項７または８に記載のカセットにおいて、
前記眼内レンズ（１１）が、眼内レンズ（１１）の静止位置を解除した後に前記触覚部（１８）の第２部分（２８）が前記プランジャ（４）の移動経路の上方に配置され、特に前記第２部分（２８）の底部（３０）が前記プランジャ（４）に載置されるように、静止位置で前記カセット（８）の内部に配置されているカセット。
【請求項１０】
請求項８または９に記載のカセットにおいて、
前記位置保持手段（４２）および移前記動通路（１２１）が、前記カセット（８）から前記眼内レンズ（１１）を送出する第１段階で、前記プランジャ（４）が、前記眼内レンズ（１１）を持ち上げるために前記接触部（１８）の前記第２部分（２８）における前記底部（３０）に接触し、送出の第２段階で、前記触覚部（１８）および／または前記光学部（１６）の第１部分（２７）に接触するように構成されているカセット。
【請求項１１】
請求項３から１０までのいずれか一項に記載のカセットにおいて、
前記位置保持手段（４２）が、載置面（３６）を有する少なくとも１つの成形部材（３４）を有し、静止位置で、前記眼内レンズ（１１）を触覚部（１８）によって前記載置面（３６）に配置することができるカセット。
【請求項１２】
請求項１１に記載のカセットにおいて、
前記成形部材（３４）の前記載置面（３６）が、前部および後部で隆起部（３７，３８）によってそれぞれ制限されているカセット。
【請求項１３】
請求項１１または１２に記載のカセットにおいて、
前記成形部材（３４）が、前記カセット（８）のカバー部（９）またはベース部（１０）に配置されているカセット。
【請求項１４】
請求項１から１３までのいずれか一項に記載のカセットにおいて、
前記カセット（８）、特に前記位置保持手段（４２）が、前記眼内レンズ（１１）を収容するように構成されており、前記眼内レンズ（１１）が、前記光学部（１６）の対向位置に形成された２つの前記触覚部（１７，１８）を有し、前記カセット（８）の内部における前記眼内レンズ（１１）の静止位置が、前記移動通路（１２１）の前記長手方向軸線（Ａ）が前記２つの触覚部（１７，１８）を通って延在しているか、または、前記眼内レンズが水平面（II）に対して傾斜している場合に前記眼内レンズ（１１）の対称軸線が、前記長手方向軸線（Ａ）を備える面で前記触覚部（１７，１８）を通って延在するように構成されているカセット。
【請求項１５】
請求項１から１４までのいずれか一項に記載のカセット（８）を備えるレンズインジェクタ装置（３３）において、
前記カセット（８）の内部に眼内レンズ（１１）が配置されており、前記カセット（８）から前記眼内レンズ（１１）を送出し、前記レンズインジェクタ装置（３３）の挿入路（７）に前記眼内レンズ（１１）を挿入するように構成された可動なプランジャ（４）を有していることを特徴とするレンズインジェクタ装置（３３）。
【請求項１６】
請求項１５に記載のインジェクタ装置において、
前記カセット（８）の内部における前記眼内レンズ（１１）の静止位置が位置保持手段（４２）によって形成されており、前記眼内レンズ（１１）の前記触覚部（１７，１８）における、前記プランジャ（４）の前記移動通路（１２１）に向いた前方の側縁部（３１）が、前記プランジャ（４）の移動経路の外側で撓まないように配置されているインジェクタ装置。
【請求項１７】
カセット（８）の内部に眼内レンズ（１１）を保存する方法であって、
前記カセット（８）が、インジェクタ装置（１）に挿入するように構成されており、前記カセット（８）に、前記インジェクタ装置（１）のプランジャ（４）のための入口部（１２）および前記眼内レンズ（１１）のための出口部（１５）が形成されている方法において、
前記カセット（８）に、前記プランジャ（４）のための移動通路（１２１）を設け、前記眼内レンズ（１１）を静止位置で前記カセット（８）の内部にセットした状態で、前記移動通路（１２１）の長手方向軸線（Ａ）と前記眼内レンズ（１１）の中心面（Ｉ）とを、相互に傾斜して配向することを特徴とする方法。
【請求項１８】
請求項１７に記載の方法において、
前記長手方向軸線（Ａ）を前記カセット（８）の水平面（II）に延在させ、前記眼内レンズ（１１）を、前記カセット（８）の内部における静止位置で前記水平面（II）に対して傾斜して位置決めし、特に前記眼内レンズ（１１）の前記中心面（Ｉ）を、前記水平面（II）に対して角度（α）で配置し、前記眼内レンズ（１１）を、眼内レンズ（１１）における前記カセット（８）の入口部（１２）に向いた端部から底部に向けて傾斜して配置する方法。
【請求項１９】
請求項１７または１８に記載の方法において、
前記眼内レンズ（１１）に、前記光学部（１６）の対向位置に形成された２つの前記触覚部（１７，１８）を設け、前記カセット（８）の内部における前記眼内レンズ（１１）の静止位置が、前記移動通路（１２１）の前記長手方向軸線（Ａ）が前記２つの触覚部（１７，１８）を通って延在しているか、または、前記眼内レンズが水平面（II）に対して傾斜している場合に前記眼内レンズ（１１）の対称軸線が、前記長手方向軸線（Ａ）を備える面で前記触覚部（１７，１８）を通って延在するように構成する方法。
【請求項２０】
請求項１から１４までのいずれか一項に記載のカセット（８）から眼内レンズ（１１）を送出する方法において、
前記レンズインジェクタ装置（１）の前記プランジャ（４）を、前記カセット（８）の入口部（１２）を通って前記眼内レンズ（１１）まで前進させ、前記プランジャ（４）を、前記レンズ（１１）の触覚部（１８）における第２部分（２８）の縁部（３１）と非接触に移動させる方法。
【請求項２１】
請求項２０に記載の方法において、
前記カセット（８）からの前記眼内レンズ（１１）の送出時に、前記眼内レンズ（１１）の前記触覚部（１７，１８）における前記第１部分（２０，２７）、特に縁部（３２，３３）および／または前記眼内レンズ（１１）の光学部（１６）のみにプランジャ（４）を接触させる方法。
【請求項２２】
請求項２０または２１に記載の方法において、
前記眼内レンズ（１１）の送出の第１段階で、前記プランジャ（４）を前記触覚部（１８）の前記第２部分（２８）と接触させ、前記眼内レンズ（１１）を持ち上げ、第２段階で、前記プランジャ（４）を前記触覚部（１８）の前記第１部分（２７）および／または前記光学部（１６）と接触させ、前記レンズ（１１）を送出する方法。
【請求項２３】
請求項２２に記載の方法において、
前記成形部材（３４）の隆起部（３８）によって前記眼内レンズ（１１）を前記静止位置から持ち上げた後に、前記プランジャ（４）によって前記隆起部（３８）を超えて前記眼内レンズ（１１）を前進させ、再び降下させ、前記触覚部（１８）の前記第２部分（２８）における前記底部（３０）によって前記プランジャ（４）に載置し、さらに送出する方法。
【発明の詳細な説明】
【技術分野】
【０００１】
本発明は、眼内レンズを収容するためのカセットに関し、特にカセットがレンズインジェクタ装置に挿入するように構成されており、インジェクタ装置は、眼内レンズを眼に挿入するように構成されており、インジェクタ装置のプランジャのための入口部とレンズのための出口部とを有するカセットに関する。本発明はさらに、このようなカセットを有するインジェクタ装置、カセット内に眼内レンズを保存する方法およびカセットから眼内レンズを送出する方法に関する。
【背景技術】
【０００２】
眼内レンズは、白内障などにより視野に欠陥が生じ、天然水晶体を置き換える必要がある場合に眼に挿入される眼用インプラントである。白内障手術では、眼に設けた小さい切開部を通して天然水晶体が寸断され、吸い出される。次いで眼に設けたこのような小さい切開部を通して眼内レンズが挿入される。このような眼内レンズは様々な形態で知られており、通常は１つの光学部と複数の触覚部とを有する。眼内レンズは、触覚部によって眼内の所定位置に安定的に保持される。
【０００３】
このような眼内レンズを眼に挿入するためにはインジェクタ装置が用いられ、インジェクタ装置も様々な形態のものが知られている。米国特許出願公開第２００５／０１２５０００号公報（特許文献１）により、このようなインジェクタ装置が既知である。インジェクタ装置はプランジャを有し、プランジャはチューブ内に可動に配置することができる。眼内レンズを収容するカセットをこのチューブに挿入することができる。プランジャは入口部を通ってカセットに係合し、カセット内に水平方向に配置されたレンズの光学部に係合する。次いでプランジャによってレンズは出口部を通ってカセットから送出され、インジェクタ装置のチューブに続く先細りした注入路に送入される。そこでレンズは自動的に丸められる。
【先行技術文献】
【特許文献】
【０００４】
【特許文献１】米国特許出願公開第２００５／０１２５０００号公報
【発明の概要】
【発明が解決しようとする課題】
【０００５】
本発明の課題は、眼内レンズ用のカセット、インジェクタ装置、カセットに眼内レンズを保存する方法、およびカセットから眼内レンズを送出する方法において、眼内レンズ、特に光学部の損傷を防止できるようにすることである。とりわけ、レンズへの不都合な機械的応力および力作用も回避することが望ましい。
【課題を解決するための手段】
【０００６】
この課題は、カセットがプランジャのための移動通路を備え、眼内レンズを静止位置でカセットにセットした状態で、移動通路の長手方向軸線と眼内レンズの中心面とが相互に傾斜して配向された請求項１に記載の眼内レンズを収容するためのカセット、カセットの内部に眼内レンズが配置され、カセットから眼内レンズを送出し、レンズインジェクタ装置の挿入路に眼内レンズを挿入するように構成された可動なプランジャを有する請求項１５に記載のカセットを備えるレンズインジェクタ装置、カセットにプランジャのための移動通路を設け、眼内レンズを静止位置でカセットの内部にセットした状態で、移動通路の長手方向軸線と眼内レンズの中心面とを相互に傾斜して配向する請求項１７に記載のカセットの内部に眼内レンズを保存する方法、およびレンズインジェクタ装置のプランジャを、カセットの入口部を通って眼内レンズまで前進させ、プランジャを、レンズの触覚部における第２部分の縁部と非接触に移動させる請求項２０に記載の眼内レンズを送出する方法により解決される。
【０００７】
眼内レンズを収容するための本発明によるカセットは、カセットは、インジェクタ装置にレンズを挿入するように構成されており、インジェクタ装置のプランジャのための入口部およびレンズのための出口部を有している。カセットは、プランジャのための移動通路を備え、移動通路の長手方向軸線および眼内レンズの中心面は、カセットに載せた状態で眼内レンズの静止位置で互いに対して傾斜して配向されている。このことは、水平面と長手方向軸線とが０°よりも大きい角度で、特に５°〜５０°の角度で配置されていることを意味する。このような傾斜した配置により、レンズの不都合な機械的応力を防止し、カセットの送出時にレンズの触覚部の特定領域に対するプランジャの不都合な力作用を回避することができる。
【０００８】
好ましくは、長手方向軸線はカセットの水平面に延在し、眼内レンズは、カセット内における静止位置で水平面に対して傾斜して位置決めされている。レンズの中心面はカセットの水平面と平行またはこれと同一であり、移動通路の長手方向は、これに対して０°より大きい角度で設けてもよい。
【０００９】
好ましくは、眼内レンズのための位置保持手段が形成され、これにより、カセット内における眼内レンズの傾斜した静止位置を保持することができる。
【００１０】
カセットはカバー部とこれに対して可動なベース部とを備え、位置保持手段は、カバー部および／またはベース部の構成素子によって形成されており、このためにカバー部および／またはベース部は、レンズに向いた面の少なくとも所定領域に成形部を有し、これにより、レンズを収容し、カセットを閉じた状態でレンズを傾斜させた静止位置が得られる。
【００１１】
位置保持手段は、静止位置における眼内レンズのための移動許容差が生じるように構成されている。このことは、位置保持手段によってレンズをあらかじめ配置し、位置保持手段においてレンズを最小限に移動させることができることを意味する。したがって、位置保持手段は、厳密に嵌合するように構成されておらず、レンズに形状接続的に結合していない。レンズは、位置保持手段の内部ではむしろ実質的に自由な状態である。しかしながら、移動許容差は、好ましくは、少なくとも１つの位置で最大で０．１ｍｍである。このことは、少なくとも１つの位置では実質的に位置保持手段によって成形シェルが形成され、これにより、上方または下方へのレンズの可動性は最大で０．１ｍｍに制限されることを意味する。特にさらに液体がカセット内に付加的に挿入されている場合、レンズは実質的に浮遊することができるが、しかしながら、レンズは位置保持手段によって移動許容差の範囲内で傾斜位置に保持される。これにより、静止位置におけるレンズへの過剰な摩擦または過剰な機械的作用を回避することができる。
【００１２】
好ましくは、位置保持手段は、レンズが静止位置でカセットにおける入口部に向いたレンズ端部から底部に向けて傾斜して配置されるように構成されている。これにより、レンズへのプランジャのアクセス性を特に有利に得ることができる。こうした利点は、レンズへ機械的影響は最小限に簡単に得ることができる。
【００１３】
好ましくは、位置保持手段によって得られるカセット内における眼内レンズの静止位置は、中心面と、長手方向軸線、特に長手方向軸線を有する水平面とが、眼内レンズの光学部における外縁部の領域で交差するように構成されている。眼内レンズは触覚部に凹部を有しているか、または眼内レンズの触覚部における第１部分は、光学部のエッジに隣接している。これにより、レンズと接触し、レンズを前進させるための構成素子の機能および滑動性は、特に効率良く、正確であり、しかも構成素子の摩耗性は低い。
【００１４】
レンズの触覚部は、光学部に対して角度をなして配置してもよい。触覚部および光学部は、好ましくは１つの平面に配置してもよい。
【００１５】
好ましくは、位置保持手段は少なくとも１つの成形部材を有し、成形部材は、静止位置で眼内レンズを触覚部によって載置できる載置面を備える。これにより、位置保持手段におけるレンズの移動のために見込まれるクリアランスをもって、随意にカセット内の液体量に応じて、レンズを載置面に載せることができる。しかしながら、相応量の液体が設けられている場合にはレンズは載置面で静止しなくてもよい。
【００１６】
好ましくは、カセット、特に位置保持手段は、２つの触覚部を有する眼内レンズを収容するように構成されている。２つの触覚部は光学部の対向位置に形成されており、カセットにおけるレンズの静止位置は、移動通路の長手方向軸線が２つの触覚部を通って延在しているか、またはレンズの位置が水平面に対して傾斜している場合には触覚部を通るレンズの対称軸線が長手方向軸線と同一平面に位置するように構成されている。したがって、特定のレンズは、カセット内の触覚部の配向に関して特定の位置に配置されており、傾斜位置と連携してレンズを前進させるための特に有利な機械的原理が得られ、触覚部の特定領域への不都合な機械的力作用を回避することができる。
【００１７】
このように傾斜した配置により、プランジャによってカセットから眼内レンズをより穏やかに取り出すことができ、機械的影響が小さく、不都合な機械的応力なしに眼内レンズを変位することもできる。
【００１８】
これにより、少なくとも１つの触覚部が少なくとも部分的にプランジャの移動経路に配置された状態でのみ眼内レンズをカセットに挿入することができる場合、特に眼内レンズの触覚部はプランジャによって不都合な力作用を受けない。
【００１９】
眼内レンズが平面的にカセット内にセットされ、眼内レンズの触覚部が、カセットにおけるプランジャを挿入する入口部に向いているか、または入口部に向けられるようにカセットが構成されている場合、プランジャは必然的に水平方向移動時にレンズを送出するために柔軟な外側の触覚部にのみ係合し、このことは触覚部の損傷に関しては不利となる。
【００２０】
本発明によるカセットにより、このようなことを回避することができる。なぜなら、平面的な配置ではなく、眼内レンズは水平面に対して傾斜してカセット内に配置されているので、眼内レンズの接触部における不都合な箇所にプランジャが係合することを回避できるからである。これにより、眼内レンズ、特に触覚部の外側の箇所の不都合な変形または損傷を防止することができる。
【００２１】
カセット内の静止位置における眼内レンズのこのような傾斜により、眼内レンズをカセットから送出する場合のプランジャの係合位置が、プランジャによる機械的作用および機械的応力を実質的にさほど受けないようにすることができる。
【００２２】
これにより、眼内レンズ、特に眼内レンズの触覚部の損傷を著しく低減することができる。
【００２３】
好ましくは、カセットの成形部材は、カセットのベース部に配置されている。これにより、カセット内における傾斜配置に関して眼内レンズの特に適宜な位置決めが可能となる。
【００２４】
好ましくは、眼内レンズをカセットから送出する場合のインジェクタ装置のプランジャの移動方向は、水平面または水平面に平行に延在している。したがって、特に眼内レンズは、プランジャの移動方向に関して傾斜して配置されている。これは、眼内レンズとプランジャとの機械的接触に関して、眼内レンズ、特に触覚部の不都合な損傷を防止することができる特に有利な構成である。
【００２５】
好ましくは、眼内レンズおよびカセットの静止位置では、眼内レンズの中心面は水平面と角度をなして配置されており、レンズはカセットの入口部に向いたレンズ端部から下方に傾斜して配置されている。この角度＞０°により、これらの規定された面は相互に交差して配置されている。この中心面および中心面の傾斜した配置により、係合するプランジャのための適宜な機械的接触点に関して、特に有利な位置決めが得られる。このような傾斜で眼内レンズが触覚部によりプランジャの移動方向に位置決めされた場合、触覚部の柔軟な部分は、もはやカセットから眼内レンズを送出するためのプランジャの主要係合点ではなくなる。
【００２６】
好ましくは、眼内レンズは、中心面が光学部および全ての触覚部を通って延在するように構成されている。したがって、好ましくは眼内レンズの光学部および触覚部は１つの平面に配置および構成されている。
【００２７】
眼内レンズの中心面と水平面とが眼内レンズの光学部における周縁部の領域に形成された所定の場所で交差するように眼内レンズの静止位置が構成されている場合、特に好ましいことがわかった。光学部の周縁部には触覚部の第１部分を配置してもよい。第１部分は、光学部から離隔して配置された触覚部の第２部分よりもプランジャの係合および接触性に関して著しく安定的である。中心面と水平面との間におけるこれら特定の交差領域に関するこのような位置決めにより、プランジャと眼内レンズとの特に穏やかな接触およびカセットからの眼内レンズの特に滑らかな送出に関して有利な構成が可能となる。
【００２８】
好ましくは、成形部材は、インジェクタ装置のプランジャを案内するための開口を有している。
【００２９】
この場合、カセットの入口部を通して、カセットからの眼内レンズの送出時に成形部材よってプランジャも前進させられ、これにより、傾斜した位置決めに関して、プランジャと眼内レンズとの特に有利な係合点、および特に機能的な送出が得られる。さらにカセットは小型でスペースを最小限とし、機械的に安定した状態で構成することができる。
【００３０】
好ましくは、カセットにおける静止位置で、成形部材によって、眼内レンズは、入口部に向いていない、あるいは出口部に向いたカセット端部においてよりも、入口部に向いたカセット端部において、より高い位置に配置されている。したがって、入口部から見て送出方向に、したがって出口部の方向に、傾斜方向は好ましくは底部に向けられている。このことは、プランジャと眼内レンズとの接触に関して、さらなる送出時にカセット内のレンズの不都合な移動を回避するために有利である。
【００３１】
好ましくは、成形部材は、静止位置で眼内レンズを触覚部によって載置する載置面を有している。この構成により、静止位置を安定的に保持することができ、眼内レンズへの不都合な負荷を防止することができる。この載置面によって、広い領域による載置を回避することができ、これによっても眼内レンズの損傷を防止することができる。
【００３２】
好ましくは、眼内レンズの触覚部は凹部または孔部を有し、これにより、レンズの光学部に接続する第１部分、特に光学部の周縁部に接続する第１部分が触覚部に形成される。さらに凹部により、光学部から離間された第２部分が触覚部に形成され、この第２部分は、比較的柔軟に構成されており、変形可能なので、眼内レンズの送出時に特定の静止位置に基づきプランジャはこの第２部分の縁部に接触しない。カセットに関して触覚部の第２部分における外縁部とプランジャとの接触は本発明より防止され、触覚部のこの部分における不都合な変形および機械的応力または負荷を防止することができる。眼内レンズがカセット内の静止位置に配置された場合に、特に触覚部の第２部分は載置面に載置される。
【００３３】
このような触覚部およびカセット内に傾斜して配置された眼内レンズの構成により、送出時およびプランジャとの接触時に、プランジャの送出およびプランジャとの接触時に触覚部の第２部分は実質的にプランジャによる影響をほとんど受けず、いずれにせよ周縁部で接触されることはなく、せいぜい底部または上部で接触され、プランジャは底部または上部に沿ってスライドする。このように触覚部の第２部分における周縁部にプランジャが接触による不都合な機械的変形を防止することができる。カセット内における眼内レンズのこのような位置および構成によって、プランジャによって、触覚部は特に第２部分の底部または上部で実質的に接触され、したがって、この点ではもはや不都合な機械的負荷を受けることはない。
【００３４】
好ましくは、眼内レンズは、触覚部の第２部分がプランジャの移動経路の上方に配置されるように、カセット内の静止位置に配置される。これにより、プランジャは、触覚部の第２部分における外縁部に接触することはできず、せいぜい触覚部の第２部分における底部に接触するか、または底部に沿ってスライドすることができるのみである。このことは、カセットからの眼内レンズの送出時の不都合な変形および機械的負荷の防止に有利に作用する。
【００３５】
カセッからレンズを送出する場合、好ましくは、プランジャは接触部の凹部に少なくとも部分的に係合する。
【００３６】
好ましくは、静止位置は、カセットからレンズを送出する場合に、プランジャが触覚部の第２部分における外縁部と非接触に配置されるように構成されている。
【００３７】
好ましくは、送出の第１段階では、プランジャは、レンズを持ち上げるために触覚部の第２部分の底部に接触する。このように、プランジャは底部に沿って比較的穏やかにスライドし、眼内レンズを成形部材の載置面における静止位置から上方に持ち上げる。プランジャをこの第２部分の底部にのみ係合させ、これに沿ってスライドさせることにより、触覚部の第２部分における不都合な変形は生じない。送出の第２段階では、プランジャは好ましくは触覚部の第１部分および／または光学部と接触する。このように持上げ後にはさらにプランジャと眼内レンズとの接触位置が得られ、このような接触位置は、触覚部の第２部分との接触よりも機械的負荷は遙かに大きい。これにより、プランジャと眼内レンズとのこのような接触領域におけるさらなる送出を確実に行うことができる。
【００３８】
好ましくは、レンズは次のように、すなわち、触覚部の第２部分がプランジャの移動経路の上方に配置され、特にレンズの静止位置の解除後に、第２部分の底部がプランジャに載置されるように、カセット内の静止位置に配置されている。
【００３９】
好ましくは、成形部材の載置面は、それぞれ前部および後部で隆起部によって制限される。この場合、ウェブを設け、ウェブ間に載置面が延在していてもよい。これらの隆起部によって、眼内レンズ、特に眼内レンズの触覚部における第２部分の静止位置および載置状態を特に安定的の保持することができる。
【００４０】
好ましくは、眼内レンズの光学部は、成形部材と非接触にカセット内の静止位置に配置されている。レンズの光学部がカセット内の静止位置で実質的に完全に自由に浮遊した状態で配置されている場合、特に有利である。レンズの光学部は、カセットの静止位置で最大で１０％の領域によりカセットのベース部に載置され、それ以外の領域はカセットと非接触に自由な浮遊状態で配置される。成形部材に第１触覚部を載置し、ベース部に別の触覚部を載置した接触状態が得られ、ベース部のこの場所で、触覚部に隣接して形成された光学部は、ベース部に僅かにのみ載置させることができる。
【００４１】
眼内レンズのこのような自由に浮遊した配置により、特にプランジャによる的確に配向した穏やかな接触が可能となり、特に静止位置からレンズを特に滑らかに持ち上げることができる。これにより、できるだけ小さい機械的負荷で特に穏やかな送出を行うことができる。
【００４２】
好ましくは、水平面とレンズ、特にレンズの中心面との間の傾斜角は５°〜４０°、特に５°〜１０°、とりわけ７°〜８°である。これらは一方ではできるだけ小さい負荷により得られる機械的に安定した位置に関して特に有利な角度範囲であり、カセットからのレンズの送出をできるだけ簡単に、小さい負荷で行うことのできる有利な配置である。
【００４３】
好ましくは、眼内レンズは、光学部の反対側の縁部に配置した２つの触覚部を有している。
【００４４】
さらに本発明は、本発明によるカセットおよびその有利な改良形態を有するレンズインジェクタ装置に関する。レンズインジェクタ装置は可動なプランジャを有し、このプランジャは、眼内レンズをカセットから送出し、レンズインジェクタ装置の注入路に挿入するように構成されている。
【００４５】
好ましくは、カセット内におけるレンズの静止位置は位置保持手段によって得られ、レンズの触覚部におけるプランジャの移動通路に向いた前方の側縁部は、プランジャの移動経路の外側に撓まないように配置されている。この場合、静止位置は、レンズがプランジャに接触する前にカセット内に配置される状態、および特にプランジャがレンズに接近し、接触する状態を含む。このようにプランジャがレンズに接触する直前であっても、位置保持手段またはカセットの他の部分によるレンズの撓みは生じない。所定の箇所、特にレンズの光学部および／または触覚部の特定領域へのプランジャのアクセスを随意に可能にするために、レンズと移動通路の長手方向軸線との間の傾斜、ひいてはプランジャと間の傾斜により、レンズの移動を極めて良好に行うことができる。
【００４６】
好ましくは、注入路は、中空の円錐台の形態で構成されており、注入路への眼内レンズの送入時に、眼内レンズを自動的に畳み、ひいては丸めることができるように先細りしている。
【００４７】
さらに本発明はカセット内に眼内レンズを保管する方法に関する。この場合、カセットはインジェクタ装置に挿入するように構成されており、インジェクタ装置は眼内レンズを眼に挿入するように構成されている。カセットは、インジェクタ装置のプランジャのための入口部および眼内レンズのための出口部を備える。カセットは、プランジャのための移動通路を含み、眼内レンズを静止位置でカセット内にセットした状態で、移動通路の長手方向軸線と眼内レンズの中心面とは相互に傾斜して配向されている。
【００４８】
好ましくは、長手方向軸線はカセットの水平面に延在しており、眼内レンズは、カセット内における静止位置で水平面に関して傾斜して位置決めされており、特に眼内レンズの中心面は、水平面に対して所定角度で配置されており、レンズは、レンズにおけるカセットの入口部に向いた端部から底部に向けて傾斜して配置されている。
【００４９】
好ましくは、眼内レンズは、光学部の対向位置に形成された２つの触覚部を有し、レンズの位置を水平面に対して傾斜させた場合、カセット内におけるレンズの静止位置は、移動通路の長手方向軸線が２つの触覚部を通って延在するか、またはレンズの対称軸線が、長手方向軸線を備える面で触覚部を通って延在するように構成されている。
【００５０】
好ましくは、カセット内における眼内レンズの静止位置では、レンズがレンズにおけるカセットの入口部に向いた端部から底部に向けて傾斜して配置されるように、眼内レンズの中心面は水平線に対して所定の角度で配置されている。
【００５１】
特に静止位置で、眼内レンズは接触部により成形部材の載置面に載置することができ、特に触覚部の第２部分によって、眼内レンズの光学部とは非接触に載置面に載置することができる。この載置状態は、カセット内の液体、特にレンズを湿潤する液体に応じて異なる。
【００５２】
好ましくは、眼内レンズの触覚部には凹部が形成されており、この凹部を設けたことにより、レンズの光学部に接続する触覚部第１部分が形成され、触覚部の第２部分が光学部から離間して形成されており、レンズは、カセット内におけるレンズの静止位置で第２部分を載置面に載置できるようにカセット内に配置されている。
【００５３】
好ましくは、載置面は、それぞれ前部および後部で成形部材の隆起部によって制限されており、カセット内におけるレンズの静止位置で、レンズの触覚部をこれら隆起部の間で載置面に載置することができ、特に触覚部の第２部分が隆起部の間で載置面に載置される。
【００５４】
好ましくは、レンズの光学部は、成形部材とは非接触状態でカセット内の静止位置に配置される。特にレンズの光学部は、静止位置で実質的に、または完全に自由に浮遊するように配置される。
【００５５】
さらに本発明はカセットから眼内レンズを送出する方法に関する。この場合、カセットは本発明に従って、または本発明の有利な実施形態に従って形成される。この方法では、レンズインジェクタ装置のプランジャは、カセットの入口部からレンズに向けて送入され、出口部を介してレンズをカセットから送出する場合、プランジャは、レンズの触覚部における第２部分の縁部または境界部と非接触に移動する。したがって、プランジャによって触覚部の第２部分の縁部への高い機械的応力および負荷が生じないようにすることができ、したがって触覚部の不都合な変形および損傷を防止することができる。
【００５６】
第２部分の縁部または境界部は、触覚部の第２部分における上側もしくは上面と底側もしくは底面との間に延在している。
【００５７】
カセットからのレンズの送出時にレンズの触覚部における第１部分のみにプランジャが接触するようにすることができる。このような構成では、プランジャの誘導が、触覚部の第２部分とは完全に非接触に行われ、同様にレンズの光学部とも完全に非接触に行われる。光学部の周縁部に直接に配置された触覚部第１部分は、機械的に安定した状態でそこに位置決めされ、プランジャのための適宜な接触点としての役割を果たし、送出時にレンズを損傷することなしに機械的力作用を吸収することができる。
【００５８】
送出の第１段階で、プランジャは触覚部の第２部分の底部に接触し、これにより、レンズは静止位置から持ち上げられる。送出の第１段階に続く第２段階では、プランジャは触覚部の第１部分に接触し、この後にレンズは送出される。送出のこの第２段階では、プランジャがレンズの光学部に接触し、さらに触覚部の第１部分と接触し、カセットからレンズが送出される。
【００５９】
成形部材の隆起部を介して静止位置から持ち上げられた後、好ましくは、眼内レンズはプランジャによってこの隆起部を超えて前進させられ、再び少なくとも部分的に降下された後に送出される。
【００６０】
成形部材の隆起部を介して静止位置から持ち上げられた後、好ましくは眼内レンズプランジャによってこの隆起部を超えて前進させられ、触覚部の第２部分の底部によりプランジャに載置され、さらに送出される。
【００６１】
本発明によるカセットの有利な実施形態は、本発明によるレンズインジェクタ装置の有利な実施形態と見なされるべきである。さらに本発明によるカセットの有利な実施形態は、本発明による方法の有利な実施形態と見なされるべきである。
【００６２】
本発明のさらなる特徴が請求項、図面および図面の説明に明らかである。上記本発明の概要、図面の説明および図面に示した特徴および特徴の組み合わせは、それぞれに示した組み合わせのみならず、本発明の請求の範囲から逸脱することなしに、他の組み合わせで、または単独で使用することができる。それぞれの実施形態も個別の特徴と組み合わせて新しい実施形態とすることができる。
【発明の効果】
【００６３】
本発明による眼内レンズ用のカセット、インジェクタ装置およびカセットに眼内レンズを保存する方法、およびカセットから眼内レンズを送出する方法により、眼内レンズ、特に光学部の損傷を防止することができ、とりわけレンズへの不都合な機械的応力および力作用を回避することもできる。
【図面の簡単な説明】
【００６４】
【図１】本発明によるレンズインジェクタ装置を示す斜視図である。
【図２】図１に示したレンズインジェクタ装置の一部を示す拡大図である。
【図３ａ】静止位置に配置した眼内レンズを有する本発明によるカセットの実施形態を断面して示す斜視図である。
【図３ｂ】図３ａに示した本発明によるカセットの一部を示す図である。
【図４】図３ａによるカセットを示す断面図である。
【図５】静止位置に配置した眼内レンズを有する本発明によるカセットの別の実施形態を示す別の斜視断面図である。
【図６】カセットの別の実施形態を示す概略図である。
【発明を実施するための形態】
【００６５】
図１および図２には、レンズインジェクタ装置１が概略的に示されている。レンズインジェクタ装置１は、眼に眼内レンズ１１を挿入するように構成されている。インジェクタ装置１は管状中空体２を備え、管状中空体２の外側には把持部材３が配置されている。さらにインジェクタ装置１はプランジャ４を備え、プランジャ４は管状中空体２の内部でｘ軸線の方向に変位可能である。管状中空体２の前端部５には、収容部６が収容フレームとして構成されている。眼内レンズを有するカセットを収容するように構成されたこの収容部６に続いて、先細りした中空の注入カニューレまたは挿入部７が配置されている。管状中空体２は前端部５に開口を有し、この開口を通ってプランジャ４をスライドさせ、収容部６に配置されたカセット内のレンズを送出し、挿入部７に前進させることができる。挿入部７が先細りした構成により、挿入部７への送入時に眼内レンズは自動的に丸めらる。
【００６６】
図３ａ、図３ｂおよび図４にさらに示し、説明するように、カセット８を収容部６に挿入することができる。
【００６７】
カセット８はカバー部９およびベース部１０を有する。カバー部９とベース部１０とは、相互に相対移動可能であり、眼内レンズ１１をカセット８に挿入するために対応して開閉可能である。
【００６８】
図３ａにはカセット８の断面図が示されており、断面した平面はｘｙ平面に延在している。図３ａではカセット８は閉じた状態で示されており、眼内レンズ１１は静止位置に配置されている。
【００６９】
カセット８は、管状中空体２の前端部５に続く入口部１２を有している。プランジャ４は、入口部１２からカセット８の内部に送入することができる。入口部１２は、カセット８における管状中空体２に面した端部１３に形成されている。カセット８における挿入部７に面した反対側の端部１４には出口部１５が形成されている。眼内レンズ１１は、プランジャ４によってこの出口部１５を通ってカセット８から送出し、インジェクタ装置１の挿入部７に送入することができる。
【００７０】
このように、プランジャ４は、カセット８から眼内レンズ１１を送出するためにｘ方向に移動させられる。
【００７１】
入口部１２に続いて、カセット８は移動通路１２１を有し、移動通路１２１ではプランジャ４はレンズ１１に接近するように案内される。移動チャンネル１２１は、水平方向、すなわちｘ方向に延在する長手方向軸線Ａを有する。プランジャ４は、対応して水平方向に案内される。水平面IIに延在する長手方向軸線Ａおよびレンズ１１の中心面Ｉは相互に傾斜して配置されており、角度αが形成される。
【００７２】
カセット８の内部における図示の静止位置では、眼内レンズ１１は底部に向けて傾斜して配置されている。眼内レンズ１１は中央の光学部１６を有し、この光学部１６には本実施形態では、対向端部に触覚部１７および１８がそれぞれ配置されている。眼内レンズ１１はこれら２つのみの触覚部１７および１８を有し、これらの触覚部は、図面のｘ方向に見て光学部１６の対向端部に配置されている。この実施形態では、光学部１７および１８は光学部１６に対して角度をなして配置されているのではなく、光学部１６と同一平面に構成されている。
【００７３】
一方の触覚部１７には凹部１９が形成されている。この凹部１９を設けたことにより触覚部１７の第１部分２０が形成される。この第１部分２０は比較的薄く、光学部１６の周縁部２１に隣接している。凹部１９を設けたことによりさらに触覚部１７の第２部分２２も形成されている。第２部分２２は光学部１６から離隔して形成されている。第１触覚部１７は上部２３および底部２４を有する。さらに側縁部２５が形成されており、側縁部２５は、静止位置で出口部１５に向いている。
【００７４】
対応して、他方の触覚部１８が形成されている。この触覚部１８にも同様に連続的な凹部２６が形成されている。この凹部２６を設けたことにより触覚部１８の第１部分２７が形成されている。第１部分２７はここでも比較的薄く、光学部１６の周縁部２１に隣接している。凹部２６を設けたことによって光学部１６から離隔して触覚部１８の第２部分２８が形成されている。ここでも他方の触覚部１８は上部２９と底部３０とを有する。さらに、上部２９と底部３０とを接続する側縁部３１が形成されている。
【００７５】
さらに第１部分２０の側縁部３２および第１部分２７の側縁部３３が凹部１９および２６により形成されている。
【００７６】
静止位置における眼内レンズ１１の傾斜位置は、眼内レンズ１１における入口部１２に向いた端部が、眼内レンズ１１における出口部１５に向いた端部よりもｙ方向に高い位置に配置されていることを特徴とする。
【００７７】
特に、眼内レンズ１１の静止位置は、眼内レンズ１１の中心面Ｉが水平面IIに対して角度αで配置されているように構成されている。水平面IIはｘ−ｚ面に延在し、プランジャ４の移動は水平面IIまたはこれに対して平行に行われる。図３ａおよび図３ｂに示すように、眼内レンズ１１の中心面Ｉは、２つの触覚部１７および１８、ならびに光学部１６を通って延在している。好ましくは、角度αは５°〜４０°、特に１０°〜２０°である。
【００７８】
図示の実施形態では、ベース部１０は成形部材３４を含み、この成形部材３４はプランジャ４のための案内開口３５を有している。さらに載置面３６が設けられており、この載置面３６には眼内レンズ１１における入口部１２に向いた端部が載置される。特に触覚部１８は、触覚部１８の第２部分２８のみが底部３０によって載置面３６に載置される。
【００７９】
ｘ方向に見て、載置面３６は、ｙ方向に上方に延在する第１の高さ３７および第２の高さ３８によって制限されている。第２の高さ３８は第１の高さ３７よりも低い。このように、眼内レンズ１１の図示の静止位置では、眼内レンズは成形部材３４によってもｘ方向に不都合な変位を防止するように保持される。
【００８０】
さらに第１触覚部１７は、底部２４によってベース部１０の底面３９に載置されている。ベース部１０は湾曲凹部４０を含み、湾曲凹部４０は、ほぼ光学部１６の高さに形成されており、眼内レンズ１１の静止位置でｘ方向に延在している。さらに眼内レンズ１１は、静止位置で、光学部１６がベース部１０およびカバー部９と非接触に配置されるように位置決めされている。光学部１６は、せいぜい極めて小さい面で底面３９に載置される。このように、実質的に光学部１６はカセット８の内部の静止位置で自由に浮遊しているように配置されている。好ましくは、眼内レンズ１１の静止位置は、中心面Ｉと水平面IIとが光学部１６、および触覚部１８の第１部分２７の領域で交差するように設けられている。したがって、これら２つの面ＩおよびIIが交差する線は、第１部分２７の側縁部３３の領域、および、ｘ方向における第１部分２７の厚さがわずかなので光学部１６の側縁部２１の領域にも延在する、極めて小さい領域に局所化されている。
【００８１】
特にレンズ１１は、位置保持手段４２によって傾斜した静止位置に保持されている。位置保持手段４２は、カバー部９およびベース部１０の素子によって形成されている。特にカバー部９およびベース部１０の形状は、レンズ１１の領域でレンズ１１に向いた面が所定の領域でレンズ１１の形状に適合されるように形成されている。しかしながら、この形状は、レンズ１１のための移動許容差をもって形成されている。これは、レンズ１１がカバー部およびベース部によって積極的に接触されないが、３次元方向全てにレンズのわずかな移動を許容するように成形シェルが実質的に形成されていることを意味する。特に少量の液体がレンズ１１を湿潤するので、レンズはカセット８の内部で自由な状態で「浮遊」している。移動許容差は少なくとも１つの位置では０．１ｍｍ以下であり、傾斜位置は最小限にしか可変ではないのでレンズ１１の自由な可動性は著しく制限されている。この実施形態では、移動の最小許容差を有する場所は、図３ａおよび図３ｂでは成形部材３４の高さ３８とカバー部９の凸部４４との間の凹部２６の領域である。
【００８２】
この位置決めは、プランジャ４と眼内レンズ１１との接触、さらにカセット８からの送出手順に関して特に有利である。
【００８３】
カセット８はカバー部９に収容スペース４１を有し、この収容スペース４１には、レンズ１１の送出時に持ち上げられるレンズ１１、特に第２の触覚部１８が入り込むことができる。
【００８４】
静止位置で、第２の触覚部１８は、プランジャ４の移動経路の上方に配置されている。ｘ方向に見て、２つの触覚部１７および１８は前後に配置されている。
【００８５】
図４には、図３ａおよび図３ｂのＩＶ−ＩＶ線に沿った別の断面図が示されている。ｘ方向に見たこの図では、カセット８は実質的にプランジャ４の方向から示されている。眼内レンズ１１が出口部１５の方向に傾斜して配置されていることがわかる。
【００８６】
さらに眼内レンズ１１の静止位置により、プランジャ４は、眼内レンズ１１との接触時に触覚部１８の第２部分２８と接触しないか、またはせいぜい底部３０のみにわずかに接触する。触覚部１８の第２部分２８における前方の側縁部３１にはもはやプランジャ４は接触せず、したがって、この点ではｘ方向の機械的な力はもはや作用しない。この構成では、プランジャ４による触覚部１８の第２部分２８への不都合な力作用を防止することができる。側縁部３１は、カセット８の内部におけるレンズ１１の静止位置では、特にレンズ１１における前進した接触位置に到達するまでのプランジャ４の接近距離全体にわたって撓むことはない。このことは、プランジャ４に向いた触覚部１８、特に第２部分２８が、同様にプランジャ４とは関連しない、カセット８の素子により撓められることはなく、したがって、プランジャ４と側縁部３１との接触を回避することができることを意味する。しかしながら、レンズ１１の重量により触覚部が撓む可能性はあり、これは上記のような素子による積極的な撓みのように除外されない。
【００８７】
これにより、カセット８からの眼内レンズ１１の送出時に不都合な変形を防止することができる。機械的負荷に関して柔軟で脆弱な触覚部、特に触覚部の外側の第２部分２８および２２を不都合な機械的応力および負荷から解放することができる。
【００８８】
図３ａ、図３ｂおよび図４に示すように、プランジャ４によるカセット８からの眼内レンズ１１の送出をさらに説明する。カセット８が収容部６に挿入された場合、プランジャ４をカセット８の入口部１２からカセット８に挿入することができる。そこでプランジャは移動通路１２１および成形部材３４の案内開口３５を通って眼内レンズ１１に到達する。成形部材３４により傾斜し、高められた位置決めにより、プランジャ４は実質的に眼内レンズ１１の下側に係合する。プランジャ４が触覚部１８の第２部分２８を非接触で通過し、第１部分２７、特に触覚部１８の縁部３３および／または眼内レンズ１１の光学部１６に直接に係合するように、位置保持手段４２によって眼内レンズ１１の位置を構成することができる。プランジャをさらにｘ方向に移動させることにより、眼内レンズ１１は静止位置から離れてｘ方向に出口部１５に前進する。ここで、触覚部１８の第２部分２８は、載置面１６から解放され、プランジャ４に載置される。
【００８９】
カセット８の内部における眼内レンズ１１の位置は位置保持手段４２によって構成され、カセット８の内部への送入時に、プランジャ４はここでも側縁部３１に係合せず、ｘ方向に第２部分２８の底部３０にのみ接触し、これに沿ってスライドするようにしてもよい。これにより、眼内レンズ１１は、まずｙ方向に持ち上げられる。好ましくは、持上げは、第２部分２８が高さ３３の延在部のレベルまたはこれよりも高くなるように行われる。プランジャ４をｘ方向にさらに前進させた場合、プランジャ４の前側は、第１部分２７の、例えばエッジ３３および／または光学部１６と直接に接触し、出口部１５の方向に前進する。
【００９０】
ここで図３ａ、図３ｂおよび図４の実施形態は例示的なものであることを強調しておく。図５に断面図で示すように、成形部材３４をカバー部９に配置した逆の構成も可能である。位置保持手段４２においてレンズ１１のための最小移動許容差を有する位置は、ベース部１０における素子４３の間の領域および重なったカバー部領域に構成されている。ここでも、レンズ１１の周囲における液体量に応じて、ベース部１０における持ち上げられた素子４３の載置面またはカバー部９の位置に形成された対向素子４４、および／または成形素子３４′の接触面４５は、レンズ１１のためのストッパとしての役割を果たすことができる。
【００９１】
図６に示す別の実施形態には概略的な断面図が示されており、レンズ１１は中心面Ｉで水平方向にカセット８の内部で位置保持手段によって保持されている。さらに、移動通路１２１の長手方向軸線Ａは中心面Ｉに対して傾斜して、すなわち、角度αをもって配置されている。移動通路１２１は、触覚部１８の凹部２６に直接に開口しており、プランジャ４は、あらかじめ側縁部３１と接触し、特にｘ方向に第２部分２８を変形することなしに、レンズ１１を前進させるためにエッジ３３の領域で光学部１６および／または第１部分２７と直接に係合することができる。
【符号の説明】
【００９２】
１  レンズインジェクタ装置
２  中空体
３  把持部材
４  プランジャ
５  前端部
６  収容部
７  挿入部
８  カセット
９  カバー部
１０  ベース部
１１  眼内レンズ
１２  入口部
１３，１４  端部
１５  出口部
１６  光学部
１７，１８  触覚部
１９  凹部
２０  第１部分
２１  周縁部
２２  第２部分
２３  上部
２４  底部
２５  側縁部
２６  凹部
２７  第１部分
２８  第２部分
２９  上部
３０  底部
３１，３２，３３  側縁部
３４，３４′  成形部材
３５  案内開口
３６  載置面
３７，３８  高さ
３９  底面
４０  湾曲凹部
４１  収容スペース
４２  位置保持手段
４３  素子
４４  凸部
４５  接触面
【図１】
2011045713.tif 000003
【図２】
2011045713.tif 000004
【図３ａ】
2011045713.tif 000005
【図３ｂ】
2011045713.tif 000006
【図４】
2011045713.tif 000007
【図５】
2011045713.tif 000008
【図６】
2011045713.tif 000009
【外国語明細書】
2011045713000001.pdf